(57)【要約】      （修正有）【課題】内側に防水機能を持たせた履物を提供する。【解決手段】履物Ｆは、外側が非防水性の履物Ｆと、この履物Ｆの内側の全体に亘って設けられた足に当接する内側部材１と、この内側部材１と履物Ｆの外側部材Ｆ１との間に設けられた内在用履物部材Ｎとを備え、この内在用履物部材Ｎは、爪先部、足甲部、底部、踵部を防水素材で継ぎ目のないように一体的に形成されているものである。【選択図】図１
0003193568.tif 000002
【実用新案登録請求の範囲】
【請求項１】
外側が非防水性の履物と、
この履物の内側の全体に亘って設けられた足に当接する内側部材と、
この内側部材と前記履物の外側部材との間に設けられた内在用履物部材とを備え、
この内在用履物部材は、爪先部、足甲部、底部、踵部を防水素材で継ぎ目のないように一体的に形成されている
ことを特徴とする履物。
【請求項２】
外側が非防水性の履物と、
この履物の内側に出し入れ自在に収納される履口部を備えた内在用履物部材であって、
この内在用履物部材は、爪先部、足甲部、底部、踵部を防水素材で継ぎ目のないように一体的に形成されている
ことを特徴とする履物。
【請求項３】
内在用履物部材の内側に内装される内装体が設けられ、
この内装体は、柔軟なクッション材又はスポンジ状部材で形成され、内装爪先部、内装足甲部、内装底部、内装踵部を有している
ことを特徴とする請求項２記載の履物。
【請求項４】
内在用履物部材の内側に内装される内装体が設けられ、
この内装体は、内装爪先部、内装足甲部、内装底部、内装踵部を有し、
前記内装体は、履口部の近傍に前記履口部を介して前記内在用履物部材と対称的に取り付けられると共に、対称的に取り付けられた前記内装体が折り返されて前記内在用履物部材の内側に収納される
ことを特徴とする請求項２又は請求項３記載の履物。
【考案の詳細な説明】
【技術分野】
【０００１】
本考案は、履物に係り、特に、内側に防水機能を持たせた履物に関する。
【背景技術】
【０００２】
従来、防水機能を備えている履物がある。
【考案の概要】
【考案が解決しようとする課題】
【０００３】
上述の履物にあっては、爪先部、足甲部、底部、踵部を防水素材で継ぎ目のないように一体的に形成するため、例えば、長靴状となり、デザイン的に制約を受けるという問題点があった。
【０００４】
本考案は、上記の問題点を考慮してなされた履物を提供することを目的とする。
【課題を解決するための手段】
【０００５】
請求項１記載の履物は、外側が非防水性の履物と、この履物の内側の全体に亘って設けられた足に当接する内側部材と、この内側部材と前記履物の外側部材との間に設けられた内在用履物部材とを備え、この内在用履物部材は、爪先部、足甲部、底部、踵部を防水素材で継ぎ目のないように一体的に形成されているものである。
【０００６】
また、請求項２記載の履物は、外側が非防水性の履物と、この履物の内側に出し入れ自在に収納される履口部を備えた内在用履物部材であって、この内在用履物部材は、爪先部、足甲部、底部、踵部を防水素材で継ぎ目のないように一体的に形成されているものである。
【０００７】
また、請求項３記載の履物は、請求項２記載の履物において、内在用履物部材の内側に内装される内装体が設けられ、この内装体は、柔軟なクッション材又はスポンジ状部材で形成され、内装爪先部、内装足甲部、内装底部、内装踵部を有しているものである。
【０００８】
また、請求項４記載の履物は、請求項２又は請求項３記載の履物において、内在用履物部材の内側に内装される内装体が設けられ、この内装体は、内装爪先部、内装足甲部、内装底部、内装踵部を有し、前記内装体は、履口部の近傍に前記履口部を介して前記内在用履物部材と対称的に取り付けられると共に、対称的に取り付けられた前記内装体が折り返されて前記内在用履物部材の内側に収納されるものである。
【考案の効果】
【０００９】
請求項１記載の履物によれば、外側が非防水性の履物であっても、内側部材と履物の外側部材との間に、爪先部、足甲部、底部、踵部を防水素材で継ぎ目のないように一体的に形成されている内在用履物部材を設け、つまり、内在用履物部材に防水機能を備えているため、履物の外側のデザイン等に制約を受けないで、防水機能を有する履物を得ることができる。
【００１０】
また、請求項２記載の履物によれば、外側が非防水性の履物であっても、履物の内側に、爪先部、足甲部、底部、踵部を防水素材で継ぎ目のないように一体的に形成されている内在用履物部材を設け、つまり、内在用履物部材に防水機能を備えているため、履物の外側のデザイン等に制約を受けないで、防水機能を有する履物を得ることができ、しかも、履物の内部が水等により濡れていても、内在用履物部材を履物の内側に収納して装着することにより、水等に触れないで履くことができ、更に、清掃したいときには、足に当接する内在用履物部材を履物から取り出し、取り出した内在用履物部材を清掃することができ、使用勝手を向上させることができる。
【００１１】
また、請求項３記載の履物によれば、前述の請求項２記載の考案の効果に加え、使用状態にあって、足が柔軟なクッション材又はスポンジ状部材を介して防水素材で形成された内在用履物部材に接触するため、防水素材で形成された内在用履物部材に接触する場合に比べ、使用勝手を向上させることができる。
【００１２】
また、請求項４記載の内側用履物によれば、前述の請求項２又は請求項３記載の考案の効果に加え、内装体は、履口部の近傍に前記履口部を介して内側用履物部材と対称的に取り付けられると共に、対称的に取り付けられた前記内装体が折り返されて内側用履物部材の内側に収納されるため、履物の内側に内側用履物部材を簡易且つ迅速に取り付けることができると共に、清掃にあっては、内在用履物部材を履物から取り出し、取り出した内在用履物部材の内側に折り返された内装体を外側に取り出して、清掃することができる等の効果を有する。
【図面の簡単な説明】
【００１３】
【図１】図１は、本考案の一実施例の内在用履物部材が取り付けられた履物の概略的側面図である。
【図２】図２は、図１の履物に取り付けられる前の内在用履物部材の概略的側面図である。
【図３】図３は、本考案の他の実施例の内在用履物部材を収納した履物の概略的側面図である。
【図４】図４は、図３の内在用履物部材の概略的側面図である。
【図５】図５は、図３の概略的平面図である。
【図６】図６は、図５の内在用履物部材から内装体を取り出して、履口部を介して内在用履物部材と内装体が対称的に取り付けられた状態を示す概略的図である。
【図７】図７は、図５の内在用履物部材の概略的斜視図である。
【図８】図８は、図７の内在用履物部材から内装体を取り出して示す概略的斜視図である。
【考案を実施するための形態】
【００１４】
本考案の一実施例の履物を図面を参照して説明する（図１及び図２参照）。
図１に示すＦは外側が非防水性の履物(例えば、ブーツ)で、履物Ｆには、足に当接する内側部材１が履物Ｆの内側の全体に亘って設けられている。
ここで、「外側が非防水性の履物Ｆ」とは、外側部材Ｆ１の素材自体が非防水性で形成されている場合は勿論のこと、外側部材Ｆ１の素材自体が防水性で形成されていても、履物Ｆの製作上、生じる水を通す繋ぎ目（隙間）を有して形成された履物Ｆをも含む意である。
そして、内側部材１と履物Ｆの外側部材Ｆ１との間には、内在用履物部材Ｎが設けられている。
この内在用履物部材Ｎは、図２に示すように、爪先部Ｎ１、足甲部Ｎ２、底部Ｎ３、踵部Ｎ４を防水素材で継ぎ目のないように一体的に、例えば、図示しないスラッシュ製法により形成されるものである。
【００１５】
従って、上述した履物Ｆによれば、外側が非防水性の履物Ｆであっても、内側部材１と履物Ｆの外側部材Ｆ１との間に、爪先部Ｎ１、足甲部Ｎ２、底部Ｎ３、踵部Ｎ４を防水素材で継ぎ目のないように一体的に形成されている内在用履物部材Ｎを設け、つまり、内在用履物部材Ｎに防水機能を備えているため、履物Ｆの外側のデザイン等に制約を受けないで、防水機能を有する履物Ｆを得ることができる。
【００１６】
上述した図１及び図２記載の実施例の内在用履物部材Ｎは、履物Ｆに一体的に設けられたものであるが、本考案にあっては、これに限らず、内在用履物部材Ｎは、履物Ｆの内側に出し入れ自在に収納されるようにしても良い（図３〜図８参照）。
即ち、図３〜図８に示すＮは内在用履物部材で、内在用履物部材Ｎは、履物(例えば、ブーツ)Ｆの内側に出し入れ自在に収納される履口部２を備えている。
この内在用履物部材Ｎは、上述同様、爪先部Ｎ１、足甲部Ｎ２、底部Ｎ３、踵部Ｎ４を防水素材で継ぎ目のないように一体的に、例えば、図示しないスラッシュ製法により形成されている（図５及び図８参照）。
【００１７】
従って、図３〜図８記載の履物Ｆによれば、外側が非防水性の履物Ｆであっても、履物Ｆの内側に、爪先部Ｎ１、足甲部Ｎ２、底部Ｎ３、踵部Ｎ４を防水素材で継ぎ目のないように一体的に形成されている内在用履物部材Ｎを設け、つまり、内在用履物部材Ｎに防水機能を備えているため、履物Ｆの外側のデザイン等に制約を受けないで、防水機能を有する履物Ｆを得ることができ、しかも、履物Ｆの内部が水等により濡れていても、内在用履物部材Ｎを履物Ｆの内側に収納して装着することにより、水等に触れないで履くことができ、更に、清掃したいときには、足に当接する内在用履物部材Ｎを履物Ｆから取り出し、取り出した内在用履物部材Ｎを清掃することができ、使用勝手を向上させることができる。
【００１８】
内在用履物部材Ｎの内側には、内装される内装体ｎが設けられている。この内装体ｎは、柔軟なクッション材又はスポンジ状部材で形成され、内装爪先部ｎ１、内装足甲部ｎ２、内装底部ｎ３、内装踵部ｎ４を有している。
内在用履物部材Ｎの使用状態にあっては、足が柔軟なクッション材又はスポンジ状部材を介して防水素材で形成された内在用履物部材Ｎに接触するため、防水素材で形成された内在用履物部材Ｎに接触する場合に比べ、使用勝手を向上させることができる。
【００１９】
そして、内装体ｎは、履口部２の近傍に履口部２を介して内在用履物部材Ｎと対称的に取り付けられる(図６参照)と共に、対称的に取り付けられた内装体ｎが折り返されて内在用履物部材Ｎの内側に収納されている（図４及び図６参照）。
なお、図７に示す破線３は、内装体ｎを内在用履物部材Ｎに取り付けるための縫製部位である。
このように内装体ｎは、履口部２の近傍に履口部２を介して内在用履物部材Ｎと対称的に取り付けられると共に、対称的に取り付けられた内装体ｎが折り返されて履物Ｆの内側に収納されるため、履物Ｆの内側に内装体ｎを簡易且つ迅速に取り付けることができると共に、清掃にあっては、内在用履物部材Ｎを履物Ｆから取り出し、取り出した内在用履物部材Ｎの内側に折り返された内装体ｎを外側に取り出して（図６及び図８参照）、清掃することができる等の効果を有する。
【符号の説明】
【００２０】
Ｆ      履物
Ｆ１    外側部材
Ｎ      内在用履物部材
Ｎ１    爪先部
Ｎ２    足甲部
Ｎ３    底部
Ｎ４    踵部
【図１】
0003193568.tif 000003
【図２】
0003193568.tif 000004
【図３】
0003193568.tif 000005
【図４】
0003193568.tif 000006
【図５】
0003193568.tif 000007
【図６】
0003193568.tif 000008
【図７】
0003193568.tif 000009
【図８】
0003193568.tif 000010